【手続補正書】
【提出日】平成16年9月29日(2004.9.29)
【手続補正１】
【補正対象書類名】明細書
【補正対象項目名】特許請求の範囲
【補正方法】変更
【補正の内容】
【特許請求の範囲】
【請求項１】
入力された動画像中のフラッシュを検出する動画像処理装置であって、
複数フレームより構成される動画像中から明るさが閾値以上であるフレームを検出する検出手段と、
前記検出手段で検出されたフレーム以前の第１所定範囲において、第１条件の明るさを満たすフレームを探索する第１探索手段と、
前記検出手段で検出されたフレーム以降の第２所定範囲において、第２条件の明るさを有するフレームを探索する第２探索手段と、
前記第１探索手段及び第２探索手段で探索されたフレーム間の類似度を計算する計算手段と、
前記計算手段で計算された類似性度に基づいて、前記動画像中のフラッシュの有無を判定する判定手段と
を備えることを特徴とする動画像処理装置。
【請求項２】
前記判定手段は、前記類似性度が所定値以上の場合に、前記第１探索手段及び第２探索手段で探索されたフレーム間にフラッシュがあると判定する
ことを特徴とする請求項１に記載の動画像処理装置。
【請求項３】
前記第１所定範囲及び前記第２所定範囲のどちらか一方あるいはその両方は、所定フレーム数である
ことを特徴とする請求項１に記載の動画像処理装置。
【請求項４】
前記明るさは、輝度である
ことを特徴とする請求項１に記載の動画像処理装置。
【請求項５】
前記明るさは、ＲＧＢ信号の強度である
ことを特徴とする請求項１に記載の動画像処理装置。
【請求項６】
前記第１条件及び第２条件のどちらか一方あるいはその両方は、所定閾値未満の明るさである
ことを特徴とする請求項１に記載の動画像処理装置。
【請求項７】
前記第１条件及び第２条件のどちらか一方あるいはその両方は、最低の明るさである
ことを特徴とする請求項１に記載の動画像処理装置。
【請求項８】
前記第１探索手段及び第２探索手段で探索されたフレームが複数存在する場合は、前記検索手段で検索されたフレームに最近のフレームを採用する
ことを特徴とする請求項１に記載の動画像処理装置。
【請求項９】
複数フレームより構成される動画像中のカット点を検出するカット点検出手段と、
前記判定手段の判定結果に基づいて、前記カット点検出手段の検出結果を補正する補正手段とを更に備える
ことを特徴とする請求項１に記載の動画像処理装置。
【請求項１０】
入力された動画像中のカット点を検出する動画像処理装置であって、
複数フレームより構成される動画像中の隣接フレーム間の第１類似度を計算する第１計算手段と、
前記第１計算手段で計算された類似度に基づいて、前記動画像中のカット点を判定するカット点判定手段と、
前記第カット点判定手段で判定された隣接カット点間のシーン長が所定値未満であるか否かを判定するシーン長判定手段と、
前記シーン長判定手段の判定結果に基づいて、前記カット点判定手段で判定されたカット点以前の第１所定範囲内のフレームにおいて、第１条件の明るさを有するフレームを探索する第１探索手段と、
前記シーン長判定手段の判定結果に基づいて、前記カット点判定手段で判定されたカット点以降の第２所定範囲内のフレームにおいて、第２条件の明るさを有するフレームを探索する第２探索手段と、
前記第１探索手段及び第２探索手段で探索されたフレーム間の第２類似度を計算する第２計算手段と、
前記第２計算手段で計算された第２類似度に基づいて、前記動画像中のフラッシュの有無を判定する判定手段と、
前記判定手段の判定結果に基づいて、前記カット点判定手段の判定結果を補正する補正手段と
を備えることを特徴とする動画像処理装置。
【請求項１１】
前記判定手段は、前記第２類似度が所定値以上の場合に、前記第１探索手段及び第２探索手段で探索されたフレーム間にフラッシュがあると判定する
ことを特徴とする請求項１０に記載の動画像処理装置。
【請求項１２】
前記所定値は、前記第１範囲及び第２範囲よりも長い
ことを特徴とする請求項１０に記載の動画像処理装置。
【請求項１３】
前記第１所定範囲及び前記第２所定範囲のどちらか一方あるいはその両方は、所定フレーム数である
ことを特徴とする請求項１０に記載の動画像処理装置。
【請求項１４】
前記明るさは、輝度である
ことを特徴とする請求項１０に記載の動画像処理装置。
【請求項１５】
前記明るさは、ＲＧＢ信号の強度である
ことを特徴とする請求項１０に記載の動画像処理装置。
【請求項１６】
前記第１条件及び第２条件のどちらか一方あるいはその両方は、所定閾値未満の明るさである
ことを特徴とする請求項１０に記載の動画像処理装置。
【請求項１７】
前記第１条件及び第２条件のどちらか一方あるいはその両方は、最低の明るさである
ことを特徴とする請求項１０に記載の動画像処理装置。
【請求項１８】
前記第１探索手段及び第２探索手段で探索されたフレームが複数存在する場合は、前記検索手段で検索されたフレームに最近のフレームを採用する
ことを特徴とする請求項１０に記載の動画像処理装置。
【請求項１９】
前記第２探索手段で探索された第１フレームが前記カット点判定手段で判定されたカット点と一致する場合、該第１フレームのひとつ以上前である第２フレームを前記第２探索手段で探索されたフレームとする
ことを特徴とする請求項１０に記載の動画像処理装置。
【請求項２０】
前記第２フレームが、該第１フレームのひとつ以上前のフレームの内の第３条件の明るさを有するフレームである
ことを特徴とする請求項１９に記載の動画像処理装置。
【請求項２１】
前記第３条件は、所定閾値以上の明るさを有する
ことを特徴とする請求項２０に記載の動画像処理装置。
【請求項２２】
前記第２フレームと、前記第１探索手段あるいは第２探索手段で探索されたフレームとの第３類似度を計算する第３計算手段とを更に備え、
前記判定手段は、前記第２類似度と前記第３類似度に基づいて、前記動画像中のフラッシュの有無を判定する
ことを特徴とする請求項１９に記載の動画像処理装置。
【請求項２３】
前記判定手段は、前記第２類似度から前記第３類似度を引いた値が所定値以上のときに前記第１探索手段及び第２探索手段で探索されたフレーム間にフラッシュがあると判定する
ことを特徴とする請求項２２に記載の動画像処理装置。
【請求項２４】
入力された動画像中のフラッシュを検出する動画像処理方法であって、
複数フレームより構成される動画像中から明るさが閾値以上であるフレームを検出する検出工程と、
前記検出工程で検出されたフレーム以前の第１所定範囲において、第１条件の明るさを満たすフレームを探索する第１探索工程と、
前記検出工程で検出されたフレーム以降の第２所定範囲において、第２条件の明るさを有するフレームを探索する第２探索工程と、
前記第１探索工程及び第２探索工程で探索されたフレーム間の類似度を計算する計算工程と、
前記計算工程で計算された類似度に基づいて、前記動画像中のフラッシの有無を判定する判定工程と
を備えることを特徴とする動画像処理方法。
【請求項２５】
入力された動画像中のカット点を検出する動画像処理方法であって、
複数フレームより構成される動画像中の隣接フレーム間の第１類似度を計算する第１計算工程と、
前記第１計算工程で計算された類似度に基づいて、前記動画像中のカット点を判定するカット点判定工程と、
前記第カット点判定工程で判定された隣接カット点間のシーン長が所定値未満であるか否かを判定するシーン長判定工程と、
前記シーン長判定工程の判定結果に基づいて、前記カット点判定工程で判定されたカット点以前の第１所定範囲内のフレームにおいて、第１条件の明るさを有するフレームを探索する第１探索工程と、
前記シーン長判定工程の判定結果に基づいて、前記カット点判定工程で判定されたカット点以降の第２所定範囲内のフレームにおいて、第２条件の明るさを有するフレームを探索する第２探索工程と、
前記第１探索工程及び第２探索工程で探索されたフレーム間の第２類似性度を計算する第２計算工程と、
前記第２計算工程で計算された第２類似度に基づいて、前記動画像中のフラッシュの有無を判定する判定工程と、
前記判定工程の判定結果に基づいて、前記カット点判定工程の判定結果を補正する補正工程と
を備えることを特徴とする動画像処理方法。
【請求項２６】
入力された動画像中のフラッシュを検出する動画像処理のプログラムコードが格納されたコンピュータ可読メモリであって、
複数フレームより構成される動画像中から明るさが閾値以上であるフレームを検出する検出工程のプログラムコードと、
前記検出工程で検出されたフレーム以前の第１所定範囲において、第１条件の明るさを満たすフレームを探索する第１探索工程のプログラムコードと、
前記検出工程で検出されたフレーム以降の第２所定範囲において、第２条件の明るさを有するフレームを探索する第２探索工程のプログラムコードと、
前記第１探索工程及び第２探索工程で探索されたフレーム間の類似度を計算する計算工程のプログラムコードと、
前記計算工程で計算された類似度に基づいて、前記動画像中のフラッシの有無を判定する判定工程のプログラムコードと
を備えることを特徴とするコンピュータ可読メモリ。
【請求項２７】
入力された動画像中のカット点を検出する動画像処理のプログラムコードが格納されたコンピュータ可読メモリであって、
複数フレームより構成される動画像中の隣接フレーム間の第１類似度を計算する第１計算工程のプログラムコードと、
前記第１計算工程で計算された類似度に基づいて、前記動画像中のカット点を判定するカット点判定工程のプログラムコードと、
前記第カット点判定工程で判定された隣接カット点間のシーン長が所定値未満であるか否かを判定するシーン長判定工程のプログラムコードと、
前記シーン長判定工程の判定結果に基づいて、前記カット点判定工程で判定されたカット点以前の第１所定範囲内のフレームにおいて、第１条件の明るさを有するフレームを探索する第１探索工程のプログラムコードと、
前記シーン長判定工程の判定結果に基づいて、前記カット点判定工程で判定されたカット点以降の第２所定範囲内のフレームにおいて、第２条件の明るさを有するフレームを探索する第２探索工程のプログラムコードと、
前記第１探索工程及び第２探索工程で探索されたフレーム間の第２類似性度を計算する第２計算工程のプログラムコードと、
前記第２計算工程で計算された第２類似度に基づいて、前記動画像中のフラッシュの有無を判定する判定工程のプログラムコードと、
前記判定工程の判定結果に基づいて、前記カット点判定工程の判定結果を補正する補正工程のプログラムコードと
を備えることを特徴とするコンピュータ可読メモリ。
【手続補正２】
【補正対象書類名】図面
【補正対象項目名】図１０Ｃ
【補正方法】変更
【補正の内容】
【図１０Ｃ】
2002099917.tif 000001